(57)【要約】【課題】静止画データを他の電子機器に送信する際のユーザの利便性を向上する。【解決手段】外部の電子機器から遠隔制御されるように構成された撮像装置であって、前記電子機器と通信するための通信部と、被写体を撮像して、静止画データを切り出すための動画データを生成する撮像部と、前記撮像部により生成された前記動画データを記録媒体に記録する記録部と、前記撮像装置の動作を制御する制御部と、を備える。前記制御部は、前記電子機器から第１の要求を受信したときに、前記第１の要求にしたがい、前記動画データを生成し、また、前記電子機器から第２の要求を受信したときに、前記第２の要求にしたがい、前記記録媒体に記録された前記動画データから少なくとも一つのフレームを切り出して前記静止画データを生成するように処理を実行し、生成した前記静止画データを前記電子機器へ転送させる。【選択図】図７
2019041372.tif 000002
【特許請求の範囲】
【請求項１】
外部の電子機器から遠隔制御されるように構成された撮像装置であって、
前記電子機器と通信するための通信部と、
被写体を撮像して、静止画データを切り出すための動画データを生成する撮像部と、
前記撮像部により生成された前記動画データを記録媒体に記録する記録部と、
前記撮像装置の動作を制御する制御部と、を備え、
前記制御部は、
前記電子機器から第１の要求を受信したときに、前記第１の要求にしたがい、前記動画データを生成するように処理を実行し、
前記電子機器から第２の要求を受信したときに、前記第２の要求にしたがい、前記記録媒体に記録された前記動画データから少なくとも一つのフレームを切り出して前記静止画データを生成するように処理を実行し、
生成した前記静止画データを前記電子機器へ転送させる、
撮像装置。
【請求項２】
前記制御部は、前記第２の要求を受信したときに、前記動画データを構成する全てのフレームを切り出し、また、切り出した前記全てのフレームから前記静止画データを生成するように、処理を実行し、生成した前記静止画データを前記電子機器に転送させる、
請求項１に記載の撮像装置。
【請求項３】
前記制御部は、前記第２の要求を受信したときに、前記動画データから、前記第２の要求で指定された範囲に含まれる前記少なくとも１つのフレームを切り出し、また、切り出した前記フレームから前記静止画データを生成するように、処理を実行し、生成した前記静止画データを前記電子機器に転送させる、
請求項１に記載の撮像装置。
【請求項４】
前記制御部は、前記電子機器から第３の要求を受信したときに、前記動画データから、前記動画データを構成する少なくとも１つのフレームに対応するサムネイル画像データを生成するように処理を実行し、生成した前記サムネイル画像データを前記電子機器に転送させる、
請求項１に記載の撮像装置。
【請求項５】
前記通信部は、前記電子機器との間で画像転送プロトコル(ＰＴＰ：  Ｐｉｃｔｕｒｅ  Ｔｒａｎｓｆｅｒ  Ｐｒｏｔｏｃｏｌ)にしたがった通信を行う、
請求項１ないし４のいずれかに記載の撮像装置。
【請求項６】
前記通信部は、ＵＳＢ(Ｕｎｉｖｅｒｓａｌ  Ｓｅｒｉａｌ  Ｂｕｓ)ケーブルを介して前記電子機器と電気的に接続される、
請求項１ないし５のいずれかに記載の撮像装置。
【請求項７】
静止画データを切り出すための動画データを生成する撮像装置に対して遠隔制御を行う電子機器であって、
前記撮像装置と通信するための通信部と、
前記撮像装置において前記動画データから生成された前記静止画データを保持する記録媒体と、
ユーザが前記遠隔制御のための指示を入力する操作部と、
前記電子機器の動作を制御する制御部と、を備え、
前記制御部は、
前記操作部で入力された撮影開始の指示にしたがい、前記動画データの生成を指示する第１の要求を、前記通信部に前記撮像装置へ送信させ、
前記撮像装置から前記動画データの前記生成の完了を示す通知を受信したときに、前記動画データから少なくとも一つのフレームを切り出して前記静止画データを生成することを指示する第２の要求を、前記通信部に前記撮像装置へ送信させ、
前記撮像装置から前記静止画データを受信したときに、受信した前記静止画データを前記記録媒体に記録させる、
電子機器。
【請求項８】
前記第２の要求は、前記動画データから切り出される前記少なくとも一つのフレームの範囲を示す情報を含む、
請求項７に記載の電子機器。
【請求項９】
前記操作部は、前記範囲の指定を受け付ける入力画面を含む、
請求項８に記載の電子機器。
【請求項１０】
前記入力画面は、切り出しを開始するフレームの位置と、切り出すフレームの数とのそれぞれの指定を受け付ける領域を含む、
請求項９に記載の電子機器。
【請求項１１】
前記入力画面は、前記動画データを構成する少なくとも一つのフレームに対応するサムネイル画像を用いて、前記範囲の前記指定を受け付ける、請求項９に記載の電子機器。
【請求項１２】
外部の電子機器から遠隔制御される撮像装置の、画像データの転送方法であって、
前記電子機器から第１の要求を受信したときに、前記第１の要求にしたがい、動画を撮影して動画データを生成し、
前記電子機器から第２の要求を受信したときに、前記第２の要求にしたがい、生成した前記動画データから少なくとも一つのフレームを切り出して静止画データを生成し、
生成した前記静止画データを前記電子機器へ転送する、画像データの転送方法。
【発明の詳細な説明】
【技術分野】
【０００１】
本開示は、静止画データを切り出すための動画データを生成可能な撮像装置と、撮像装置を遠隔制御する電子機器と、撮像装置から電子機器へ画像データを転送する方法に関する。
【背景技術】
【０００２】
特許文献１は、静止画に適したモードで動画を撮影し、撮影した動画からフレーム画像を切り出すことで静止画データを生成する撮像装置を開示している。この構成により、シャッタチャンスを意識せずに、従来では難しかった、決定的瞬間に撮影された画像の生成を可能としている。
【０００３】
特許文献２は、ＵＳＢ通信を介して撮像装置と通信し、撮像装置に対する指示及び撮像装置からの画像データの取得を行う電子機器を開示する。その電子機器は、通信部と、通信制御部と、を備える。通信部は、ＵＳＢ（Ｕｎｉｖｅｒｓａｌ  Ｓｅｒｉａｌ  Ｂｕｓ）の通信プロトコルに従って、複数のバッファ領域を通じて撮像装置と通信する。複数のバッファ領域は、撮像装置の複数のエンドポイントにそれぞれ対応する。通信制御部は、通信部に、複数のバッファ領域のうちの第１バッファ領域を通じて、撮像装置から画像データを取得するための通信を行わせる。通信制御部は、複数のバッファ領域のうちの第２バッファ領域を通じて、撮像装置に指示を送信させる。指示は、撮像を指示する撮像指示および撮像装置の撮像動作の設定状態を変更する設定変更指示の少なくとも一方である。この構成によって、画像データ等の大量のデータを撮像装置からＵＳＢ通信で受信している場合であっても、撮像に関する指示等を当該撮像装置へＵＳＢ通信で即座に送信することを可能としている。
【先行技術文献】
【特許文献】
【０００４】
【特許文献１】特開２０１６−３２３０２号公報
【特許文献２】特開２０１４−１７５６０号公報
【発明の概要】
【発明が解決しようとする課題】
【０００５】
本開示は、動画を撮影し、撮影した動画から静止画を生成する撮像装置において、生成した静止画データを他の電子機器に送信する際のユーザの利便性を向上した撮像装置および電子機器を提供する。
【課題を解決するための手段】
【０００６】
本開示の第一の態様は、外部の電子機器から遠隔制御されるように構成された撮像装置である。前記撮像装置は、前記電子機器と通信するための通信部と、被写体を撮像して、静止画データを切り出すための動画データを生成する撮像部と、前記撮像部により生成された前記動画データを記録媒体に記録する記録部と、前記撮像装置の動作を制御する制御部と、を備える。前記制御部は、前記電子機器から第１の要求を受信したときに、前記第１の要求にしたがい、前記動画データを生成するように処理を実行する。前記制御部は、前記電子機器から第２の要求を受信したときに、前記第２の要求にしたがい、前記記録媒体に記録された前記動画データから少なくとも一つのフレームを切り出して前記静止画データを生成するように処理を実行する。前記制御部は、生成した前記静止画データを前記電子機器へ転送させる。
【０００７】
本開示の第二の態様は、静止画データを切り出すための動画データを生成する撮像装置に対して遠隔制御を行う電子機器である。前記電子機器は、前記撮像装置と通信するための通信部と、前記撮像装置において前記動画データから生成された前記静止画データを保持する記録媒体と、ユーザが前記遠隔制御のための指示を入力する操作部と、前記電子機器の動作を制御する制御部と、を備える。前記制御部は、前記操作部で入力された撮影開始の指示にしたがい、前記動画データの生成を指示する第１の要求を、前記通信部に前記撮像装置へ送信させる。前記制御部は、前記撮像装置から前記動画データの前記生成の完了を示す通知を受信したときに、前記動画データから少なくとも一つのフレームを切り出して前記静止画データを生成することを指示する第２の要求を、前記通信部に前記撮像装置へ送信させる。前記制御部は、前記撮像装置から前記静止画データを受信したときに、受信した前記静止画データを前記記録媒体に記録させる。
【０００８】
本開示の第三の態様は、外部の電子機器から遠隔制御される撮像装置の、画像データの転送方法である。前記撮像装置は、前記電子機器から第１の要求を受信したときに、前記第１の要求にしたがい、動画を撮影して動画データを生成する。前記撮像装置は、前記電子機器から第２の要求を受信したときに、前記第２の要求にしたがい、生成した前記動画データから少なくとも一つのフレームを切り出して静止画データを生成する。前記撮像装置は、生成した前記静止画データを前記電子機器へ転送する。
【発明の効果】
【０００９】
本開示の撮像装置、電子機器およびデータの転送方法によれば、動画を撮影し、撮影した動画から静止画を生成する撮像装置において、生成した静止画データを他の電子機器へ送信する際のユーザの利便性を向上できる。
【図面の簡単な説明】
【００１０】
【図１】本開示の撮像システムを示す図
【図２】本開示のデジタルカメラの内部構成を示すブロック図
【図３】本開示のＰＣ（Ｐｅｒｓｏｎａｌ  Ｃｏｍｐｕｔｅｒ）の内部構成を示すブロック図
【図４】ＰＣ上に表示される、デジタルカメラの撮影動作に対するリモートコントロールのための画面を示した図
【図５】４Ｋフォトモードを説明するための図
【図６】デジタルカメラにおけるＵＳＢ接続時の処理を示すフローチャート
【図７】撮像システムにおける静止画ボタンまたは動画ボタン操作時の画像撮影時の処理を示すフローチャート
【図８】通常の静止画撮影モードでの画像の撮影及び画像データの転送動作における、デジタルカメラとＰＣ間の情報のやりとりを説明した図
【図９】４Ｋフォト撮影時の撮像システムの処理を説明するための図
【図１０】ＰＣ上に表示される、切り出し画像の転送を行うか否かをユーザに確認するための画面を示す図
【図１１】実施の形態１における、切り出し画像の一括データ転送の処理を示す図
【図１２】切り出し画像データの転送中に表示されるＰＣの画面を示す図
【図１３】切り出し画像データの転送完了時に表示されるＰＣの画面を示す図
【図１４】実施の形態２における、転送する切り出し画像の開始フレームおよび枚数を指定するためのＰＣの画面を示す図
【図１５】実施の形態２における、切り出し画像のデータ転送の処理（開始フレーム、転送画像枚数の指定）を示す図
【図１６】実施の形態３における、ＰＣの表示部に表示されるマーカ設定用のボタンを説明した図
【図１７】実施の形態３におけるマーカ情報を示す図
【図１８】実施の形態３における、転送する切り出し画像の開始位置および枚数を指定するためのＰＣの画面を示す図
【図１９】実施の形態３における、切り出し画像のデータ転送の処理（開始フレーム、転送画像枚数の指定）を示す図
【図２０】切り出し区間を指定するためのサムネイル画像が表示されたＰＣの画面を示す図
【図２１】切り出し画像の情報の取得中に表示されるＰＣの画面を示す図
【図２２】実施の形態４における、切り出し画像のデータ転送の処理（サムネイルによる指定）を示す図
【図２３】実施の形態４における、切り出し画像のデータ転送の処理（サムネイルによる指定）を示す図（図２２のつづき）
【図２４】切り出し画像データの転送中であることを通知するための画面を示す図
【図２５】実施の形態５における、切り出し画像のデータ転送の処理を示す図
【図２６】４Ｋ動画ファイルの選択画面を示す図
【発明を実施するための形態】
【００１１】
以下、適宜図面を参照しながら、実施の形態を詳細に説明する。但し、必要以上に詳細な説明は省略する場合がある。例えば、既によく知られた事項の詳細説明または実質的に同一の構成に対する重複説明を省略する場合がある。これは、以下の説明が不必要に冗長になるのを避け、当業者の理解を容易にするためである。
【００１２】
なお、発明者は、当業者が本開示を十分に理解するために添付図面および以下の説明を提供するのであって、これらによって特許請求の範囲に記載の主題を限定することを意図するものではない。
【００１３】
（実施の形態１）
以下、図面を用いて、本開示に係る撮像装置の一実施の形態であるデジタルカメラの構成、動作を説明する。以下に説明するデジタルカメラは、動画撮影が可能である。動画撮影により、動画を示す画像信号と、動画と同期して記録された音声信号とを含む動画データが生成される。
【００１４】
［１．構成］
図１は、本開示に係る撮像システムの一実施の形態の構成を示す図である。撮像システム１０は、撮像装置の一例であるデジタルカメラ１００と、電子機器の一例であるパーソナルコンピュータ（以下「ＰＣ」という。）５００とで構成される。電子機器は情報処理装置である。デジタルカメラ１００とＰＣ５００はＵＳＢケーブル４００で接続される。デジタルカメラ１００とＰＣ５００の間では、画像転送プロトコル（Ｐｉｃｔｕｒｅ  Ｔｒａｎｓｆｅｒ  Ｐｒｏｔｏｃｏｌ、以下「ＰＴＰ」という）に準拠した通信が行われる。この通信により、ＰＣ５００からデジタルカメラ１００の遠隔制御、及びデジタルカメラ１００からＰＣ５００への画像データの転送が可能となる。
【００１５】
［１−１．デジタルカメラ］
図２は、デジタルカメラ１００の内部構成を示すブロック図である。デジタルカメラ１００は、被写体を撮像して画像データ（静止画、および動画の少なくとも一方のデータ）を生成して記録媒体に記録する。以下、デジタルカメラ１００の構成要素毎に具体的に説明する。
【００１６】
図２に示すように、交換レンズ３０１は、フォーカスレンズ３１０、補正レンズ３１８およびズームレンズ３１２を含む光学系を含む。交換レンズ３０１はさらに、レンズコントローラ３２０、レンズマウント３３０、フォーカスレンズ駆動部３１１、ズームレンズ駆動部３１３、絞り３１６、絞り駆動部３１７、操作リング３１５、ＯＩＳ(Ｏｐｔｉｃａｌ  Ｉｍａｇｅ  Ｓｔａｂｉｌｉｚｅｒ)駆動部３１９、ＤＲＡＭ（Ｄｙｎａｍｉｃ  Ｒａｎｄｏｍ  Ａｃｃｅｓｓ  Ｍｅｍｏｒｙ）３２１、およびフラッシュメモリ３２２等を備えている。
【００１７】
レンズコントローラ３２０は、交換レンズ３０１全体の動作を制御する。レンズコントローラ３２０は、フォーカスレンズ３１０、補正レンズ３１８及び絞り３１６を駆動させるように、フォーカスレンズ駆動部３１１、ＯＩＳ駆動部３１９、及び絞り駆動部３１７をそれぞれ制御することができる。また、レンズコントローラ３２０は、操作リング３１５のユーザによる操作を受け付けて、操作に応じてズームレンズ３１２を駆動させるよう、ズームレンズ駆動部３１３を制御することができる。
【００１８】
ＯＩＳ駆動部３１９は、例えば、マグネットと平板コイルとで構成される駆動機構を備える。ＯＩＳ駆動部３１９は、ジャイロセンサ（図示せず）の検出信号に基づき駆動機構を制御する。この制御により、ＯＩＳ駆動部３１９は、交換レンズ３０１のぶれに応じて、光学系の光軸に垂直な面内で補正レンズ３１８をシフトさせる。これにより、手振れによる撮像画像への影響（たとえば、画像のぶれ）を低減する。なお、ジャイロセンサは、交換レンズ３０１のぶれを検出する。
【００１９】
レンズコントローラ３２０は、ＤＲＡＭ３２１およびフラッシュメモリ３２２に接続されており、必要に応じてそれらのメモリに情報を書き込んだり、それらのメモリから読み出したりすることができる。また、レンズコントローラ３２０は、レンズマウント３３０を介して、カメラボディ１０２のコントローラ１３０と通信することができる。レンズコントローラ３２０は、ハードワイヤードな電子回路で構成されてもよいし、プログラムを用いたマイクロコンピュータなどで構成されてもよい。
【００２０】
レンズマウント３３０は、カメラボディ１０２のボディマウント１４０と接続し、交換レンズ３０１およびカメラボディ１０２を機械的および電気的に接続する。交換レンズ３０１とカメラボディ１０２とが接続されると、レンズコントローラ３２０と、コントローラ１３０とは通信可能な状態となる。ボディマウント１４０は、レンズマウント３３０を介してレンズコントローラ３２０から受信した信号をカメラボディ１０２のコントローラ１３０に送信することができる。
【００２１】
カメラボディ１０２は、ＣＣＤ（Ｃｈａｒｇｅ  Ｃｏｕｐｌｅｄ  Ｄｅｖｉｃｅ）イメージセンサ１４３およびＡＦＥ（アナログ・フロント・エンド）１４４を含む。
【００２２】
ＣＣＤイメージセンサ１４３は、交換レンズ３０１を通して形成された被写体像を撮像して画像情報を生成する。なお、画像センサとして他の種類の画像センサ（例えば、ＣＭＯＳイメージセンサ）が用いられてもよい。
【００２３】
ＡＦＥ１４４は、ＣＣＤイメージセンサ１４３から読み出した画像情報に対して相関二重サンプリングによる雑音抑圧、アナログゲインコントローラによるＡ／Ｄ変換器の入力レンジ幅への増幅、Ａ／Ｄ変換器によるＡ／Ｄ変換を実施する。
【００２４】
カメラボディ１０２は、さらに音声を入力するために、内蔵マイクロホン１１１（音声入力部の一例）を備える。
【００２５】
内蔵マイクロホン１１１は、左右それぞれの方向からの主音声（つまり、記録対象の音声）を別々に収音するために、２つのマイクロホンを含む。各マイクロホンは、音声信号を電気信号（たとえばアナログ音声信号）に変換する。各マイクロホンからのアナログ音声信号は、アナログ音声処理部１１５に入力される。
【００２６】
アナログ音声処理部１１５は、内蔵マイクロホン１１１から入力したアナログ音声信号を増幅し、デジタル音声信号に変換し、デジタル音声信号をデジタル画像・音声処理部１２０に出力する。
【００２７】
デジタル画像・音声処理部１２０は、ＡＦＥ１４４から出力された画像情報と、アナログ音声処理部１１５から入力した音声信号とに対して、各種の処理を施す。例えば、デジタル画像・音声処理部１２０は、コントローラ１３０からの指示にしたがって、画像情報に対してガンマ補正、ホワイトバランス補正、傷補正、および符号化処理等を行う。また、デジタル画像・音声処理部１２０は、コントローラ１３０からの指示にしたがって、音声信号に対する各種処理を行う。デジタル画像・音声処理部１２０は、ハードワイヤードな電子回路で実現されてもよいし、プログラムを実行するマイクロコンピュータなどで実現されてもよい。デジタル画像・音声処理部１２０を実現する回路は、１つまたは複数の半導体集積回路に集積されてもよい。例えば、デジタル画像・音声処理部１２０は、ＣＰＵ（Ｃｅｎｔｒａｌ  Ｐｒｏｃｅｓｓｉｎｇ  Ｕｎｉｔ）、ＦＰＧＡ（Ｆｉｅｌｄ‐Ｐｒｏｇｒａｍｍａｂｌｅ  Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、またはＤＳＰ（Ｄｉｇｉｔａｌ  Ｓｉｇｎａｌ  Ｐｒｏｃｅｓｓｏｒ）等で構成される。
【００２８】
表示部１９０は、デジタルカメラ１００の背面に配置される。表示部１９０は、液晶ディスプレイまたは有機ＥＬ（Ｅｌｅｃｔｒｏ  Ｌｕｍｉｎｅｓｃｅｎｃｅ）ディスプレイで構成されてもよい。表示部１９０は、デジタル画像・音声処理部１２０にて処理された画像情報に基づく画像を表示する。
【００２９】
ビューファインダ１９１は、デジタルカメラ１００の背面上部に配置される。ビューファインダ１９１は表示部１９０と同様に、デジタル画像・音声処理部１２０で処理された画像情報に基づく画像を表示する。画像情報は、表示部１９０とビューファインダ１９１の双方に同時に表示されてもよいし、いずれか一方のみに表示されてもよい。
【００３０】
コントローラ１３０は、デジタルカメラ１００全体の動作を統括制御する。コントローラ１３０は、ハードワイヤードな電子回路で実現されてもよいし、プログラムを実行するマイクロコンピュータなどで実現されてもよい。また、コントローラ１３０は、デジタル画像・音声処理部１２０などと一体的に１つの半導体チップとして実現されてもよい。例えば、コントローラ１３０は単独でまたはデジタル画像・音声処理部１２０と一体的に、ＣＰＵ、ＭＰＵ（Ｍｉｃｒｏ  Ｐｒｏｃｅｓｓｉｎｇ  Ｕｎｉｔ）、ＦＰＧＡ、ＡＳＩＣ、またはＤＳＰ等で構成できる。
【００３１】
ＲＯＭ（Ｒｅａｄ  Ｏｎｌｙ  Ｍｅｍｏｒｙ）１７０は、コントローラ１３０が実行するためのプログラムを格納している。プログラムは、例えば、オートフォーカス制御（ＡＦ制御）および自動露出制御（ＡＥ制御）、ならびにストロボの発光制御などに関するプログラムの他、デジタルカメラ１００全体の動作を統括制御するためのプログラムである。ＲＯＭ１７０は、デジタルカメラ１００に関する各種条件および設定を記憶する。ＲＯＭ１７０は、コントローラ１３０の外部に（つまり、コントローラ１３０とは別体として）存在している必要はなく、コントローラ１３０の内部に組み込まれていてもよい。本実施の形態では、ＲＯＭ１７０は、フラッシュＲＯＭである。
【００３２】
ＲＡＭ（Ｒａｎｄｏｍ  Ａｃｃｅｓｓ  Ｍｅｍｏｒｙ）１５０は、デジタル画像・音声処理部１２０およびコントローラ１３０のワークメモリとして機能する。ＲＡＭ１５０は、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）またはフラッシュメモリなどで実現される。ＲＡＭ１５０は、画像情報および音声信号などを記録するための内部メモリとしても機能する。
【００３３】
メモリカード１６０は、内部にフラッシュメモリ等の不揮発性の記憶素子を備えた着脱可能な記録媒体である。メモリカード１６０は、例えばＳＤカードである。メモリカード１６０は、カードスロット１６５に挿入される。カードスロット１６５は、コントローラ１３０の制御にしたがい、画像撮影により生成された動画データ及び静止画データをメモリカード１６０に記録したり、メモリカード１６０から動画データ及び静止画データを読み出したりする。カードスロット１６５は、本開示の記録部の一例である。
【００３４】
操作部１８０は、デジタルカメラ１００の外装に配置される操作釦および操作ダイヤルなどの操作インターフェースの総称である。操作部１８０は、ユーザによる操作を受け付ける。例えば、操作部１８０は、デジタルカメラ１００の上面に設けられたレリーズ釦、電源スイッチ、およびモードダイヤル、ならびに、デジタルカメラ１００の背面に設けられた中央釦、十字釦、およびタッチパネルなどを含む。操作部１８０は、ユーザによる操作を受け付けると、コントローラ１３０に種々の動作を指示する信号を通知する。
【００３５】
通信部１９５は、所定の通信規格にしたがい外部機器と接続するための通信インターフェース回路である。本実施の形態では、通信部１９５は、ＵＳＢ（Ｕｎｉｖｅｒｓａｌ  Ｓｅｒｉａｌ  Ｂｕｓ）規格にしたがった通信を行うためのインターフェース回路及び接続端子を含む。
【００３６】
［１−２．ＰＣ］
図３は、ＰＣ（パーソナルコンピュータ）５００の内部構成を示すブロック図である。ＰＣ５００は、その全体動作を制御するコントローラ５１１と、画面表示を行う表示部５１３と、ユーザが操作を行う操作部５１５と、データおよびプログラムを格納するデータ格納部５１７とを備える。
【００３７】
表示部５１３は、例えば、液晶ディスプレイまたは有機ＥＬディスプレイで構成される。操作部５１５は、使用者が指示を行うための装置であり、たとえば、キーボード、マウス、およびタッチパネル等の少なくともいずれか一つで構成される。
【００３８】
データ格納部５１７は、ＰＣが機能を実現するために必要なパラメータ、データ及びプログラムを記憶する記録媒体である。データ格納部５１７は、コントローラ５１１で実行される制御プログラムおよび各種のデータを格納している。データ格納部５１７は、例えば、ハードディスク（ＨＤＤ）、半導体記憶装置（ＳＳＤ）、またはフラッシュメモリで構成される。
【００３９】
コントローラ５１１は、ＣＰＵまたはＭＰＵで構成され、データ格納部５１７に格納された所定の制御プログラムを実行することで所定の機能を実現する。コントローラ５１１で実行される制御プログラムは、ネットワークを介して提供されてもよいし、ＣＤ−ＲＯＭ等の記録媒体によって提供されてもよい。コントローラ５１１の機能はハードウェアとソフトウェアの協働により実現されてもよいし、ハードウェア回路のみで実現されてもよい。すなわち、コントローラ５１１は、ＣＰＵ、ＭＰＵのみならず、ＤＳＰ、ＦＰＧＡ、またはＡＳＩＣ等で構成されることができる。
【００４０】
ＰＣ５００はさらに、外部機器（本実施の形態では、デジタルカメラ１００）に接続するための通信部５１８を備える。通信部５１８は、ＵＳＢ規格に準拠して外部機器とデータ等の通信を行う、インターフェース回路及び接続端子を含む。ＰＣ５００は、さらにネットワーク７００に接続するためのネットワークインターフェース５１９を備えても良い。ネットワークインターフェース５１９は、ＩＥＥＥ８０２．１１、ＷｉＦｉ等の規格に準拠して通信を行う回路である。
【００４１】
［２．動作］
以下、以上のような構成を有する撮像システム１０の動作を説明する。デジタルカメラ１００は、被写体を撮像して動画データ及び静止画データを生成することができる。動画データと静止画データはデジタルカメラ１００内のメモリカード１６０に保存される。メモリカード１６０内のデータは、ユーザの指示にしたがい、デジタルカメラ１００からＰＣ５００に転送される。
【００４２】
［２−１．デジタルカメラの遠隔制御］
撮像システム１０は、ＰＴＰ（Ｐｉｃｔｕｒｅ  Ｔｒａｎｓｆｅｒ  Ｐｒｏｔｏｃｏｌ）の拡張機能を利用し、ＰＣ５００からデジタルカメラ１００を遠隔制御できるように構成されている。このため、ＰＣ５００とデジタルカメラ１００とは、ＵＳＢケーブル４００を介して接続される。ＰＣ５００は、ユーザ操作に応じて、デジタルカメラ１００に撮影動作を指示したり、デジタルカメラ１００からＰＣ５００への画像データの転送を指示したりすることができる。
【００４３】
図４は、デジタルカメラ１００の遠隔制御のためにＰＣ５００の表示部５１３に表示される操作画面の一例を示した図である。操作画面６０１は、動画撮影中または撮影待機中に、デジタルカメラ１００のＣＣＤ１４３で撮影されている画像を、リアルタイムで表示（つまりライブビュー表示）する領域６１０を含む。操作画面６０１はさらに、デジタルカメラ１００へ指示するためのボタン６２２、６２４、６２６を表示する領域６２０を含む。動画ボタン６２２は、動画撮影の開始／終了の指示を受け付ける。ＡＦボタン６２４は、オートフォーカス機能の有効／無効の設定を受け付ける。静止画ボタン６２６は、静止画の撮影の指示を受け付ける。さらに、領域６２０には、シャッタスピード、露出、撮影モード（Ｐ／Ａ／Ｓ／Ｍ）、ドライブモード（単写、連写、４Ｋフォト）、画像サイズ等の各種の設定の内容６２８も表示されている。
【００４４】
［２−２．４Ｋフォトモード］
デジタルカメラ１００は、静止画を撮影するためのドライブモードとして、１枚ずつ画像を撮影する単写モードと、１回の操作で複数の画像を連続して撮影する連写モードとを有する。これらのモードに加えて、デジタルカメラ１００はさらに４Ｋフォトモードを有する。４Ｋフォトモードは、４Ｋまたは６Ｋのような高い解像度で高精細の動画（以下「４Ｋフォト動画」という）を撮影するモードである。４Ｋフォト動画の撮影後に、４Ｋフォト動画を構成するフレーム群の中から所望のフレームが切り出されことにより、静止画が生成される（例えば、特許文献１参照）。さらにデジタルカメラ１００は、動画を撮影するためのドライブモードとして、通常の動画モードを有する。つまり本実施の形態のデジタルカメラは、４Ｋフォトモードおよび通常の動画モードのいずれかで動画の撮影が可能である。
【００４５】
図５は、４Ｋフォト動画からの静止画の生成を説明するための図である。４Ｋフォト動画は時間的に連続した複数のフレーム画像で構成されている。４Ｋフォト動画を構成する複数のフレーム画像の中から所望のフレーム画像が切り出されることにより、静止画データが生成される。このように、動画から所望のシーンの画像（フレーム画像）が静止画として切り出されることから、ユーザはシャッタチャンスを意識する必要がなくなり、従来では難しかった決定的瞬間が撮影された画像の生成が可能となる。すなわち、いつ起こるかわからないハプニングまたはアクシデントの写真、または、時間経過とともに状態が変化する被写体（たとえば液体、または炎等）の瞬間的な状態の写真を容易に撮影することが可能となる。
【００４６】
４Ｋフォト動画からは、それを構成する１つ１つのフレーム画像が、静止画として切り出される。したがって、４Ｋフォト動画は、動画としての品位および画質よりも、切り出される静止画の画質が優先される。このため、４Ｋフォトモードに設定されると、撮影に関する種々の設定が、静止画の記録に適した特有の設定に自動的に設定される（例えば、特許文献１参照）。例えば、画質設定（解像度）に関して、通常動画モードでは、ＶＧＡ〜４Ｋ（４０００ピクセルｘ２０００ピクセル前後）の範囲の中で、ユーザが指定した値に設定される。これに対して、４Ｋフォトモードでは、画質設定（解像度）はデジタルカメラ１００において設定可能な最高の解像度の値（例えば、４Ｋまたは６Ｋ）に設定される。これにより、高画質なフレーム画像の記録が可能となり、高画質な静止画の切り出しが可能となる。
【００４７】
［２−３．ＵＳＢ接続モード］
デジタルカメラ１００は、ＵＳＢケーブルを介して外部機器（例えば、ＰＣ５００）が接続されたときの動作モード（以下「ＵＳＢ接続モード」という）として、以下の３つのモードを有する。
【００４８】
１）ＰＣモード：メモリカード１６０のリーダとして動作するモード。このモードでは、外部機器からメモリカード１６０に記録されたデータを読み出すことができる。
【００４９】
２）ＰｉｃｔＢｒｉｄｇｅモード：メモリカード１６０に格納された画像をプリンタで印刷させるためのモード。このモードでは、デジタルカメラ１００とプリンタを直接接続し、デジタルカメラ１００に格納された画像をプリンタで印刷させることができる。
【００５０】
３）リモートコントロールモード：ＰＣ５００からデジタルカメラ１００を遠隔で制御するためのモード。このモードでは、ＰＣ５００とデジタルカメラ１００はＰＴＰにしたがった通信を行う。
【００５１】
デジタルカメラ１００において、ＵＳＢ接続モードは、上記の３つのモードの中のいずれかのモードに設定される。
【００５２】
［２−４．ＵＳＢ接続時の処理］
デジタルカメラ１００に対してＵＳＢ接続を介して外部機器が接続されたときの、デジタルカメラ１００における処理を、図６のフローチャートを参照して説明する。
【００５３】
図６において、まず、デジタルカメラ１００のコントローラ１３０は、ＵＳＢ接続モードがいずれに設定されているかを判別する（Ｓ１１、Ｓ１６）。
【００５４】
ＵＳＢ接続モードがリモートコントロールモードに設定されている場合、コントローラ１３０は、デジタルカメラ１００が撮影モードに設定されているか否かを判断する（Ｓ１２）。デジタルカメラ１００が撮影モードでない場合は（Ｓ１２でＮＯ）、コントローラ１３０はデジタルカメラ１００を撮影モードに設定する（Ｓ１５）。
【００５５】
その後、コントローラ１３０はリモートコントロール用の接続設定を行う（Ｓ１３）。リモートコントロール用の接続設定として例えば下記の設定が行われる。
【００５６】
１）ＤｅｖｉｃｅＤｅｓｃｒｉｐｔｏｒ設定
ベンダＩＤにＲｅｍｏｔｅＣｏｎｔｒｏｌ用のＩＤを設定する。
【００５７】
２）ＣｏｎｆｉｇｕｒａｔｉｏｎＤｅｓｃｒｉｐｔｏｒ設定
ＳｔｉｌｌＩｍａｇｅ用のＣｌａｓｓ、Ｓｕｂｃｌａｓｓ、およびＰｒｏｔｏｃｏｌを設定する。
【００５８】
３）ＰＴＰ：ＧｅｔＤｅｖｉｃｅＩｎｆｏ応答設定
リモートコントロールモード用の拡張設定として、コマンド、およびイベント、デバイスプロパティ定義を設定する。
【００５９】
一方、ＵＳＢ接続モードがＰｉｃｔＢｒｉｄｇｅモードに設定されている場合（Ｓ１１でＮＯかつＳ１６でＹＥＳ）、コントローラ１３０は、デジタルカメラ１００が再生モードに設定されているか否かを判断する（Ｓ１７）。デジタルカメラ１００が再生モードでない場合は（Ｓ１７でＮＯ）、コントローラ１３０はデジタルカメラ１００を再生モードに設定する（Ｓ１９）。
【００６０】
その後、コントローラ１３０はＰｉｃｔＢｒｉｄｇｅ用の接続設定を行う（Ｓ１８）。ＰｉｃｔＢｒｉｄｇｅ用の接続設定として例えば下記の設定が行われる。
【００６１】
１）ＤｅｖｉｃｅＤｅｓｃｒｉｐｔｏｒ設定
ベンダＩＤにＰｉｃｔＢｒｉｄｇｅ用のＩＤを設定する。
【００６２】
２）ＣｏｎｆｉｇｕｒａｔｉｏｎＤｅｓｃｒｉｐｔｏｒ設定
ＳｔｉｌｌＩｍａｇｅ用のＣｌａｓｓ、Ｓｕｂｃｌａｓｓ、およびＰｒｏｔｏｃｏｌを設定する。
【００６３】
３）ＰＴＰ：ＧｅｔＤｅｖｉｃｅＩｎｆｏ応答設定
ＰｉｃｔＢｒｉｄｇｅで利用するＰＴＰコマンド、イベント、およびデバイスプロパティ定義を設定する。
【００６４】
ＵＳＢ接続モードがリモートコントロールモードでも、ＰｉｃｔＢｒｉｄｇｅモードでもない場合（Ｓ１１でＮＯかつＳ１６でＮＯ）、すなわちＰＣモードである場合、コントローラ１３０はＰＣモード用の接続設定を行う（Ｓ２０）。ＰＣモード用の接続設定として例えば下記の設定が行われる。
【００６５】
１）ＤｅｖｉｃｅＤｅｓｃｒｉｐｔｏｒ設定
ベンダＩＤにＰＣモード用のＩＤを設定する。
【００６６】
２）ＣｏｎｆｉｇｕｒａｔｉｏｎＤｅｓｃｒｉｐｔｏｒ設定
マスストレージクラスにバルクオンリー転送用のＣｌａｓｓ、Ｓｕｂｃｌａｓｓ、およびＰｒｏｔｏｃｏｌを設定する。
【００６７】
リモートコントロール用の接続設定（Ｓ１３）、ＰｉｃｔＢｒｉｄｇｅ用の接続設定（Ｓ１８）またはＰＣモード用の接続設定（Ｓ２０）が完了すると、コントローラ１３０は、ＵＳＢ規格で規定されるＵＳＢ機器間のＵＳＢ通信を確立するためのＵＳＢ接続処理を実行する（Ｓ１４）。ＵＳＢ接続処理は、ＵＳＢ機器間のＵＳＢ通信を確立するための、ＵＳＢ規格で規定される所定の処理である。
【００６８】
［２−５．画像撮影時の処理］
撮像システム１０における、動画の撮影、切り出しおよび転送の動作の一例として、４Ｋフォトモードで画像が撮影された場合の動作について説明する。以下の説明では、デジタルカメラ１００は、ＰＣ５００からの遠隔制御を可能とするリモートコントロールモードに設定されているとする。この場合、ＰＣ５００の表示部５１３に表示された操作画面６０１（図４参照）上の静止画ボタン６２６または動画ボタン６２２により、デジタルカメラ１００の撮影動作を遠隔で制御できる。
【００６９】
図７は、撮像システム１０における画像撮影時の処理を示すフローチャートである。図７のフローチャートを参照して画像撮影時の処理を説明する。
【００７０】
ＰＣ５００上でユーザにより通常の静止画の撮影を指示する静止画ボタン６２６が押下されると（Ｓ３１でＹＥＳ）、デジタルカメラ１００は、４Ｋフォトモードに設定されているか否かを判断する（Ｓ３２）。４Ｋフォトモードに設定されていない場合（Ｓ３２でＮＯ）、デジタルカメラ１００は、通常の静止画撮影処理を実行する（Ｓ４０）。具体的には、ＣＣＤ１４３により生成された画像信号に対して所定の画像処理が施されて静止画データが生成される。
【００７１】
一方で、４Ｋフォトモードに設定されている場合（Ｓ３２でＹＥＳ）、デジタルカメラ１００は動画撮影を開始する（Ｓ３３）。４Ｋフォト用の動画の撮影は、静止画ボタン６２６が押し続けられている間、継続する（Ｓ３３、Ｓ３４）。
【００７２】
動画または静止画の撮影処理が終了すると（Ｓ３４、Ｓ４０）、デジタルカメラ１００は、撮影した画像データをメモリカード１６０に記録する（Ｓ３５）。
【００７３】
また、ステップＳ３１で、静止画ボタン６２６が押下されていないと判断された場合、コントローラ１３０は、ＰＣ５００上で、ユーザにより、動画または４Ｋフォト用の動画の撮影を指示する動画ボタン６２２が押下されたか否かを判断する（Ｓ４３）。動画ボタン６２２が押下された場合（Ｓ４３でＹＥＳ）、設定されたモードにしたがって、動画の撮影が開始される（Ｓ４４）。たとえば４Ｋフォト用の動画の撮影は、動画ボタン６２２が押し続けられている間、継続する（Ｓ４４、Ｓ４５）。動画の撮影処理が終了すると（Ｓ４５でＹＥＳ）、コントローラ１３０は、撮影した動画データをメモリカード１６０に記録する（Ｓ３５）。
【００７４】
ステップＳ３５の後、デジタルカメラ１００のコントローラ１３０は、デジタルカメラ１００のドライブモードが４Ｋフォトモードであるか否かを判定する（Ｓ３６Ａ）。
【００７５】
ドライブモードが４Ｋフォトモードでない場合（Ｓ３６ＡでＮＯ）、コントローラ１３０は、ＰＣ５００へ画像追加通知を送信する（Ｓ４１）。その後、コントローラ１３０は、ＰＣ５００からの要求にしたがい、撮影により生成された動画データまたは静止画データをＰＣ５００へ転送する（Ｓ４２）。
【００７６】
一方、ドライブモードが４Ｋフォトモードである場合（Ｓ３６ＡでＹＥＳ）、デジタルカメラ１００は、記録された動画データが、静止画ボタン６２６の操作により撮影されたデータか否かを判断する（Ｓ３６Ｂ）。記録された動画データが、静止画ボタン６２６の操作により撮影されたデータでない場合（Ｓ３６ＢでＮＯ）、たとえば動画ボタン６２２の操作により撮影されたデータである場合、前述のステップＳ４１に移行する。一方で、記録された動画データが、静止画ボタン６２６の操作により撮影されたデータである場合（Ｓ３６ＢでＹＥＳ）、デジタルカメラ１００は撮影モードから切り出しモードへ移行する（Ｓ３７）。
【００７７】
切り出しモードへの移行後、デジタルカメラ１００は、画像の切り出し準備ができている旨を示す“切り出し準備ＯＫ通知”をＰＣ５００へ送信する（Ｓ３８）。その後、デジタルカメラ１００は、切り出し画像の転送処理を実施する（Ｓ３９）。具体的には、４Ｋフォトモードで記録された４Ｋフォト動画のデータから静止画データを切り出してＰＣ５００へ送信する。
【００７８】
［２−５−１．静止画データの転送］
以下、単写モード、または連写モードなどの静止画撮影モードでの画像撮影及びその後の画像データの転送動作に関する、デジタルカメラ１００とＰＣ５００間の情報のやりとりを、図８を用いて具体的に説明する。
【００７９】
ＰＣ５００の操作画面６０１上において静止画ボタン６２６が押下されると（Ｓ１００）、ＰＣ５００からデジタルカメラ１００へ静止画撮影要求が送信される（Ｓ１０１）。デジタルカメラ１００は、静止画撮影要求を受信すると静止画撮影処理を行い（Ｓ１０２）、その後、静止画撮影が完了したことを示す応答をＰＣ５００へ送信する（Ｓ１０３）。さらに、デジタルカメラ１００は、新たに画像が追加されたことを知らせるための画像追加通知をＰＣ５００へ送信する（Ｓ１０４）。ＰＣ５００は、画像追加通知を受信することで、デジタルカメラ１００において新たに撮影された画像が追加されたことを認識できる。
【００８０】
その後、ＰＣ５００は、デジタルカメラ１００に対して、撮影した静止画に関する情報を要求するための画像情報取得要求を送信する（Ｓ１０５）。デジタルカメラ１００は画像情報取得要求を受信すると、撮影画像に関する情報を取得する（Ｓ１０６）。具体的には、デジタルカメラ１００は、静止画のデータサイズ、画像フォーマット等を取得する。その後、デジタルカメラ１００は、画像情報取得要求に対する応答として、静止画のデータサイズ、画像フォーマット等を含む画像情報をＰＣ５００に送信する（Ｓ１０７）。
【００８１】
ＰＣ５００は画像情報を受信すると、画像データの転送を要求するための画像データ取得要求をデジタルカメラ１００に送信する（Ｓ１０８）。デジタルカメラ１００は画像データ取得要求を受信すると、ＰＣ５００へ、撮影した画像に関する画像データを順次転送する（Ｓ１０９、Ｓ１１０）。ＰＣ５００はデジタルカメラ１００から受信した画像データをデータ格納部５１７へ保存する（Ｓ１１１）。
【００８２】
動画撮影モードにおける画像撮影及び画像データの転送動作に関する、デジタルカメラ１００とＰＣ５００間の情報のやりとりについても、上記の静止画撮影モードの場合と同様である。
【００８３】
［２−５−２．切り出し画像データ転送］
次に、撮像システム１０における、動画の撮影および転送に関するデジタルカメラ１００とＰＣ５００間のやりとりの一例として、４Ｋフォトモードでの画像撮影及び画像データの転送に関するやりとりを挙げ、図９を用いて具体的に説明する。なお、図９は、ＰＣ５００からデジタルカメラ１００の撮像動作を遠隔操作したときの処理を示している。
【００８４】
ユーザにより静止画ボタン６２６が押下されると（Ｓ１３０）、ＰＣ５００は、４Ｋフォトモードでの撮影開始を指示するための４Ｋフォト撮影開始要求（第１の要求の一例）をデジタルカメラ１００に送信する（Ｓ１３１）。デジタルカメラ１００は、この要求を受けて４Ｋフォトモードでの撮影を開始する（Ｓ１３２）。４Ｋフォトモードでの撮影開始後、デジタルカメラ１００は、４Ｋフォトモードでの撮影の開始を示す応答をＰＣ５００に送信する（Ｓ１３３）。
【００８５】
デジタルカメラ１００は、ユーザにより静止画ボタン６２６が押下されている間、４Ｋフォトモードでの撮影を継続する。
【００８６】
ユーザにより静止画ボタン６２６が解放されると（Ｓ１３４）、ＰＣ５００は、撮影の終了を指示する４Ｋフォト撮影終了要求をデジタルカメラ１００に送信する（Ｓ１３５）。デジタルカメラ１００は、この要求を受けて４Ｋフォトモードでの撮影を終了し（Ｓ１３６）、撮影の終了を示す応答をＰＣ５００に送信する（Ｓ１３７）。このとき、４Ｋフォトモードで撮影された４Ｋフォト動画のデータがメモリカード１６０に記録される。
【００８７】
その後、デジタルカメラ１００は、撮影モードから切り出しモードへ移行する（Ｓ１３８）。切り出しモードへの移行が完了すると、デジタルカメラ１００は、静止画の切り出しの準備ができていることを示す切り出し準備ＯＫ通知をＰＣ５００へ送信する（Ｓ１３９）。
【００８８】
本実施の形態では、４Ｋフォトモードで撮影した４Ｋフォト動画を構成する全てのフレーム画像から、切り出し画像（静止画）データを生成し、転送する。以下、このように、撮影した全てのフレーム画像を静止画データとして転送する処理を「一括データ転送」という。一括データ転送では、４Ｋフォト動画を構成するフレーム画像の数と等しい数の切り出し画像が生成されて転送される。
【００８９】
ＰＣ５００は、切り出し準備ＯＫ通知を受信すると、デジタルカメラ１００に対して、切り出し画像情報を要求するための、切り出し画像情報要求を送信する（Ｓ１４１）。切り出し画像情報は、全フレーム画像の数等を含む。
【００９０】
デジタルカメラ１００は、４Ｋフォト動画のデータから、切り出し画像の数（すなわち、フレーム数）を取得する（Ｓ１４２）。デジタルカメラ１００は、取得した数に関する情報を含む切り出し画像情報を、ＰＣ５００に送信する（Ｓ１４３）。
【００９１】
切り出し画像情報を受信すると、ＰＣ５００は、表示部５１３に確認画面を表示する。図１０に確認画面６０３の例を示す。確認画面６０３は、ユーザに対して一括データ転送を開始してよいか否かを確認する画面である。
【００９２】
この確認画面６０３上でユーザから切り出し処理を開始する旨の指示（「はい」入力）を受け付けた場合（Ｓ１４４）、ＰＣ５００は、切り出し開始を指示する切り出し開始要求（第２の要求の一例）をデジタルカメラ１００に送信する（Ｓ１４５）。この切り出し開始要求を受けてデジタルカメラ１００は、メモリカード１６０から４Ｋフォト動画のデータを読み出し、４Ｋフォト動画のデータからフレーム画像を順次切り出し（Ｓ１４６）、切り出した画像のデータをＰＣ５００に転送する（Ｓ１４７）。ＰＣ５００は、デジタルカメラ１００から受信した切り出し画像データをデータ格納部５１７に保存する（Ｓ１４８）。
【００９３】
［２−５−３．一括データ転送］
以下、切り出し画像の一括データ転送処理（図９のステップＳ１４６、Ｓ１４７）の詳細を説明する。図１１は、撮像システム１０における切り出し画像の一括データ転送の処理を示す図である。
【００９４】
図１１において、デジタルカメラ１００（コントローラ１３０）は、ＰＣ５００から切り出し開始要求（Ｓ１４５）を受信すると、ポインタＮを１に設定する（Ｓ１５１）。ポインタＮは処理すべきフレーム画像を示す値である。
【００９５】
次に、デジタルカメラ１００は、４Ｋフォト動画から第Ｎ番目のフレームの画像データを取得する（Ｓ１５２）。具体的には、コントローラ１３０は、デジタル画像・音声処理部１２０が、メモリカード１６０から４Ｋフォト動画のデータを読み出し、第Ｎ番目のフレームのデータを切り出すように、処理を実行する。続いて、コントローラ１３０は、デジタル画像・音声処理部１２０が、切り出したフレームのデータにＪＰＥＧヘッダを付加して、切り出し画像データを生成するように処理を実行する（Ｓ１５３）。切り出し画像データはＲＡＭ１５０に格納される。
【００９６】
次に、デジタルカメラ１００は、ＰＣ５００に対して、切り出し画像データの転送の準備ができたことを示す転送準備ＯＫ通知を送信する（Ｓ１５４）。転送準備ＯＫ通知には、静止画データのサイズが含まれる。ＰＣ５００は、転送準備ＯＫ通知を受信すると（１６２）、静止画データのサイズに基づき、データ格納部５１７において切り出し画像を保存するための記録領域を確保する（Ｓ１６３）。その後、ＰＣ５００はデジタルカメラ１００へ切り出し画像データの取得要求を送信する（Ｓ１５５）。
【００９７】
デジタルカメラ１００は、ＰＣ５００から切り出し画像データ取得要求を受信すると、ＲＡＭ１５０から切り出し画像データを読み出し、ＰＣ５００へ転送する（Ｓ１５６）。ＰＣ５００は、受信した切り出し画像データをデータ格納部５１７に保存する（Ｓ１６４）。
【００９８】
ＰＣ５００は、画像データの転送中は、図１２に示すようなデータ転送の進捗状況を示す画面６０４を表示する。この画面６０４上においてユーザによりキャンセルボタンが押下されると、データ転送が中止される。すなわち、ユーザによりキャンセルボタンが押下された場合（Ｓ１６５でＹＥＳ）、ＰＣ５００は切り出し中止要求をデジタルカメラ１００に送信する（Ｓ１６８）。デジタルカメラ１００は切り出し中止要求を受信すると（Ｓ１５７でＹＥＳ）、切り出しモードを終了し（Ｓ１５８）、撮影モードに移行する。
【００９９】
デジタルカメラ１００は、ＰＣ５００から切り出し中止要求を受信しない場合（Ｓ１５７でＮＯ）、ポインタＮをＮ＋１とし（Ｓ１６１）、第Ｎ＋１番目のフレームの画像データを取得する（Ｓ１５２）。その後、切り出し画像データを生成し、ＰＣ５００へ転送する（Ｓ１５３、Ｓ１５６）。このように４Ｋフォト動画を構成する全フレームについて（Ｓ１６０）、切り出し画像データの転送が完了すると（Ｓ１６０でＹＥＳ）、デジタルカメラ１００は切り出しモードを終了する（Ｓ１５８）。一方、ＰＣ５００は、全フレームについて切り出し画像データの転送が完了すると（Ｓ１６６でＹＥＳ）、図１３に示すような転送完了メッセージを表示する（Ｓ１６７）。
【０１００】
以上のように、本実施の形態の撮像システム１０によれば、４Ｋフォトモードで画像を撮影した場合、デジタルカメラ１００において生成された複数の静止画データがＰＣ５００へ一括転送される。これにより、４Ｋフォトモードで撮影した画像データの転送に関するユーザの利便性を向上できる。
【０１０１】
［３．効果、等］
本実施形態のデジタルカメラ１００またはカメラボディ１０２（撮像装置の一例）は、ＰＣ５００（外部の電子機器の一例）からの遠隔制御が可能な撮像装置である。デジタルカメラ１００またはカメラボディ１０２は、ＰＣ５００と通信するための通信部１９５と、被写体を撮像して、静止画データを切り出すための４Ｋフォト動画データ（動画データの一例）を生成するＣＣＤ１４３（撮像部の一例）と、ＣＣＤ１４３により生成された動画データをメモリカード１６０（所定の記録媒体の一例）に記録するカードスロット１６５（記録部の一例）と、デジタルカメラ１００またはカメラボディ１０２の動作を制御するコントローラ１３０（制御部の一例）と、を備える。
【０１０２】
コントローラ１３０は、ＰＣ５００から４Ｋフォト撮影開始要求（第１の要求の一例）を受信したときに、その要求にしたがい、４Ｋフォト動画データを生成するように処理を実行する。たとえばコントローラ１３０は、４Ｋフォト動画データを生成させるように、ＣＣＤ１４３およびデジタル画像・音声処理部１２０を制御する。コントローラ１３０は、ＰＣ５００から切り出し開始要求（第２の要求の一例）を受信したときに、その要求にしたがい、メモリカード１６０に記録された４Ｋフォト動画データから少なくとも一つのフレームを切出して静止画データを生成するように、処理を実行する。たとえばコントローラ１３０は、記録された４Ｋフォト動画データから少なくとも一つのフレームを切出して静止画データを生成させるように、デジタル画像・音声処理部１２０を制御する。または、コントローラ１３０自身が、記録された４Ｋフォト動画データから少なくとも一つのフレームを切出して静止画データを生成する。またコントローラ１３０は、生成した静止画データをＰＣ５００へ転送するように、通信部１９５を制御する。
【０１０３】
また、ＰＣ５００（外部の電子機器の一例）は、４Ｋフォト動画（静止画データを切り出すための動画データの一例）を生成可能なデジタルカメラ１００またはカメラボディ１０２に対して遠隔制御を行う電子機器である。ＰＣ５００は、デジタルカメラ１００またはカメラボディ１０２と通信するための通信部５１８と、デジタルカメラ１００またはカメラボディ１０２において４Ｋフォト動画データから生成された静止画データを保持するデータ格納部５１７（記録媒体の一例）と、ユーザが遠隔制御のための指示を入力する操作部５１５と、ＰＣ５００の動作を制御するコントローラ５１１（制御部）と、を備える。
【０１０４】
コントローラ５１１は、操作部５１５で入力された撮影開始の指示にしたがい、４Ｋフォト動画データの生成を指示する４Ｋフォト撮影開始要求（第１の要求）を、デジタルカメラ１００またはカメラボディ１０２へ、通信部５１８に送信させる（Ｓ１３１）。コントローラ５１１は、デジタルカメラ１００またはカメラボディ１０２から、４Ｋフォト動画データの生成の完了を示す通知を受信したときに（Ｓ１３７、Ｓ１３９）、切り出し開始要求（第２の要求）を、デジタルカメラ１００またはカメラボディ１０２へ、通信部５１８に送信させる（Ｓ１４５）。切り出し開始要求は、４Ｋフォト動画データから少なくとも一つのフレームを切り出して静止画データを生成することを指示する要求である。コントローラ５１１は、デジタルカメラ１００またはカメラボディ１０２から静止画データを受信したときに、受信した静止画データをデータ格納部５１７に記録させる（Ｓ１４８）。
【０１０５】
また、本実施の形態の画像データの転送方法は、ＰＣ５００（外部の電子機器の一例）から遠隔制御されるデジタルカメラ１００またはカメラボディ１０２（撮像装置の一例）の、画像データの転送方法である。
【０１０６】
デジタルカメラ１００またはカメラボディ１０２は、ＰＣ５００からか４Ｋフォト撮影開始要求（第１の要求の一例）を受信したときに、第１の要求にしたがい、４Ｋフォト動画（動画の一例）を撮影して動画データを生成する。
【０１０７】
デジタルカメラ１００またはカメラボディ１０２は、ＰＣ５００から切り出し開始要求（第２の要求の一例）を受信したときに、第２の要求にしたがい、生成した動画データから少なくとも一つのフレームを切り出して静止画データを生成する。
【０１０８】
デジタルカメラ１００またはカメラボディ１０２は、生成した静止画データをＰＣ５００へ転送する。
【０１０９】
上記の構成により、４Ｋフォト動画の撮影時において、デジタルカメラ１００またはカメラボディ１０２を操作することなく、４Ｋフォト動画データから静止画データが自動で生成され、ＰＣ５００へ転送されるため、ユーザの利便性を向上できる。
【０１１０】
（実施の形態２）
実施の形態１では、４Ｋフォトモードでの撮影完了後、４Ｋフォト動画を構成する全てのフレームの画像データを切り出してＰＣ５００へ転送する撮像システム１０の構成（一括データ転送）を説明した。本開示の構成はこれに限定されず、４Ｋフォト動画を構成する全てのフレームのうち、一部のフレームの画像データのみが切り出されて、ＰＣ５００へ転送されてもよい。
【０１１１】
そこで、本実施の形態では、ユーザが指定した一部のフレームのみを切り出して転送する撮像システム１０の構成を説明する。具体的には、撮像システム１０は、ユーザから、切り出しを開始するフレームが何番目であるか、つまり、開始フレーム番号の指定を受け付ける。また、撮像システム１０は、指定された番号のフレーム（以下、開始フレームという）から何枚のフレームを切り出すか、つまりフレーム枚数の指定を受け付ける。これにより、ユーザが指定したフレーム数だけ切り出し画像が生成され、転送される。
【０１１２】
本実施の形態の撮像システム１０の構成及び動作は基本的に実施の形態１のものと同様である。以下では、主に、本実施の形態の撮像システム１０において実施の形態１のものと異なる点について説明する。
【０１１３】
実施の形態１では、図９に示す処理において、ＰＣ５００は、切り出し画像情報を受信すると（Ｓ１４３）、表示部５１３に図１０に示すような一括データ転送を開始するか否かを確認するための確認画面６０３を表示した（Ｓ１４４）。これに対して、本実施の形態では、ＰＣ５００は、切り出し画像情報を受信すると（Ｓ１４３）、図１０に示す確認画面６０３に代えて、図１４に示す入力画面６０６を表示する。この入力画面６０６は、切り出し開始フレームと、転送するフレーム数（切り出し画像の数）とをそれぞれ指定する領域６０６ａ、６０６ｂを有する。切り出し開始フレームと、転送するフレーム数とは、切り出されるフレームの範囲を特定するための情報である。図１４に示す入力画面６０６上で、ユーザにより、開始フレームと、転送するフレーム数とがそれぞれ指定されると、ＰＣ５００は、デジタルカメラ１００に対して切り出し開始要求を送信する（Ｓ１４５）。デジタルカメラ１００は、切り出し開始要求を受信すると、指定されたフレームの範囲にしたがい４Ｋフォト動画からフレーム画像を切り出し、切り出したフレーム画像から静止画データを生成してＰＣ５００に転送する。
【０１１４】
図１５は、本実施の形態における、ＰＣ５００から切り出し開始要求が送信された後の、撮像システム１０の詳細な動作を説明するための図である。図１５に示す処理は、実施の形態１における図１１に示す処理に対応する。
【０１１５】
図１５に示す処理の開始時においては、ＰＣ５００の表示部５１３において、図１４に示す入力画面６０６が表示されている。この入力画面６０６上の領域６０６ａ、６０６ｂにおいて、ユーザにより、開始フレーム番号と、転送フレーム数とがそれぞれ指定され、切り出し開始ボタン６０６ｃが押下されると、ＰＣ５００は、切り出し開始要求をデジタルカメラ１００に送信する（Ｓ１４５）。このとき、切り出し開始要求には、切り出しタイプと、指定された開始フレーム番号と、転送フレーム数とをそれぞれ示す情報が含まれる。本実施の形態では、切り出しタイプとして「部分切り出し」が指定される。
【０１１６】
デジタルカメラ１００は、切り出し開始要求を受信すると、部分切り出し処理であることを認識し、まず、ポインタＮに、入力画面上で指定された開始フレーム番号を設定する（Ｓ１５１ｂ）。さらに、デジタルカメラ１００は、４Ｋフォト動画から第Ｎ番目のフレームの画像データを切り出し、切り出し画像データを生成し（Ｓ１５２、Ｓ１５３）、ＰＣ５００へ転送する（Ｓ１５６）。以後、ポインタＮを順次移動しながら、入力画面６０６上で指定されたフレーム数分だけ（Ｓ１６０ｂ、Ｓ１６１）、４Ｋフォト動画から切り出し画像を生成し、ＰＣ５００へ転送する（Ｓ１５３、Ｓ１５６）。
【０１１７】
図１５に示す上記以外の処理は実施の形態１（図１１）で説明したものと同じであるため、ここでの説明は省略する。
【０１１８】
以上説明したような処理により、撮像システム１０は、ユーザが指定した所望のフレーム開始位置のフレームから、所望のフレーム数の範囲のフレームだけ、切り出し画像を生成し、ＰＣ５００へ転送することができる。これにより、撮像システム１０は、ユーザが必要とする画像データのみを転送できるため、ＰＣ５００内のデータ格納部５１７の記憶容量の無駄な消費を低減できる。
【０１１９】
（実施の形態３）
本実施の形態では、ユーザが指定した一部のフレームのみを切り出して転送する撮像システム１０の別の構成を説明する。以下、本実施の形態の撮像システム１０において、主に、実施の形態２と異なる点について説明する。
【０１２０】
本実施の形態のＰＣ５００は、デジタルカメラ１００により４Ｋフォトモードで画像撮影中に、４Ｋフォト動画に対して遠隔でマーキングする機能を有する。マーキングは、ユーザにより指定された任意のタイミングで実行されてもよい。例えば、ＰＣ５００は、４Ｋフォトモードで画像撮影中、図１６に示すような画面を表示部５１３に表示する。この画面６０１には、ユーザがマーキングを行うための、マーカ設定用ボタン６２７が設けられている。
【０１２１】
４Ｋフォト動画の撮影中、ユーザによりマーカ設定用ボタン６２７が操作されると、ＰＣ５００からデジタルカメラ１００にマーカ設定要求が送信される。デジタルカメラ１００は、このマーカ設定要求を受けると、撮影中のフレームに対してマーカを付加する。具体的には、デジタルカメラ１００は、図１７に示すマーカ情報を更新する。図１７に示すように、マーカ情報は、マーカ番号と、マーカが付されたフレームの番号とを対応づけて管理している。デジタルカメラ１００のコントローラ１３０は、マーカ設定要求を受信すると、マーカ情報において、マーカ情報を受信した時点で撮影されていたフレームの番号（つまりフレーム番号）と、マーカとの対応づけを行う。マーカは、４Ｋフォト動画における複数のフレームに対して付加されてもよい。
【０１２２】
実施の形態２では、切り出し画像の開始フレームはフレーム番号で指定されたが、本実施の形態では、切り出し画像の開始フレームはマーカ番号により指定される。
【０１２３】
このため、本実施の形態では、図９に示す処理において、ＰＣ５００は、切り出し画像情報として、全フレーム数を示す情報と、マーカ数を示す情報と、マーカ情報とを受信する（Ｓ１４３）。そして、実施の形態２における図１４に示す入力画面６０６に代えて、図１８に示す入力画面６０７が表示される。図１８に示す入力画面６０７は、「選択マーカ」領域６０７ａを有する。この領域６０７ａにおいて、ユーザにより、切り出し画像の開始フレームを示す情報として、マーカ番号が指定される。
【０１２４】
図１９は、本実施の形態における、ＰＣ５００から切り出し開始要求が送信された後の、撮像システムの詳細な動作を説明するための図である。図１９に示す処理は、実施の形態２における図１５に示す処理に対応する。
【０１２５】
図１９に示す処理の開始時においては、図１８に示す入力画面６０７が表示されている。この入力画面６０７上の領域６０７ａ、６０７ｂにおいて、ユーザにより、マーカ番号と、転送フレーム数とが指定され、切り出し開始ボタン６０７ｃが押下されると、ＰＣ５００は、切り出し開始要求をデジタルカメラ１００に送信する（Ｓ１４５）。このとき、切り出し開始要求には、切り出しタイプと、指定されたマーカ番号と、転送フレーム数とをそれぞれ示す情報が含まれる。本実施の形態では、切り出しタイプとして「マーカ切り出し」が指定される。
【０１２６】
デジタルカメラ１００は、切り出し開始要求を受信すると、マーカ切り出し処理であることを認識し、まず、ポインタＮに、指定されたマーカ番号に対応するフレーム番号を設定する（Ｓ１５１ｃ）。デジタルカメラ１００のコントローラ５１１は、マーカ情報を参照することで、指定されたマーカ番号に対応するフレーム番号を認識することができる。
【０１２７】
さらに、デジタルカメラ１００は、４Ｋフォト動画から第Ｎ番目のフレームの画像データを切り出し、切り出し画像データを生成し（Ｓ１５２、Ｓ１５３）、ＰＣ５００へ転送する（Ｓ１５６）。以後、ポインタＮを順次移動しながら、入力画面６０７上で指定されたフレーム数分だけ（Ｓ１６０ｂ、Ｓ１６１）、４Ｋフォト動画から切り出し画像を生成し、ＰＣ５００へ転送する（Ｓ１５３、Ｓ１５６）。
【０１２８】
図１９に示す上記以外の処理は実施の形態２で説明したものと同じであるため、ここでの説明は省略する。
【０１２９】
上記の例では、ユーザにより指定されたマーカ番号が示すフレームを開始位置として、指定された枚数だけ連続して画像を切り出す構成を説明した。マーカ番号を用いた切り出しフレームの指定方法はこれに限定されない。例えば、ＰＣ５００は、ユーザによる複数のマーカ番号の指定を受け付けてもよい。この場合、ＰＣ５００は、指定された複数のマーカ番号を含む切り出し開始要求を、デジタルカメラ１００に送信してもよい。デジタルカメラ１００は、受信した切り出し開始要求に含まれる複数のマーカ番号のそれぞれに対応するフレームの画像データを切り出し、ＰＣ５００に送信してもよい。これにより、撮像システム１０は、ユーザにより任意に指定された複数の画像を切り出すことができる。
【０１３０】
以上のように本実施の形態の撮像システム１０によれば、ユーザが予めマークした画像を、切り出し開始位置に設定することができる。このため、ユーザが切り出し開始位置を検索する際の手間が省ける。したがって、ユーザの利便性を向上できる。
【０１３１】
（実施の形態４）
実施の形態２、３では、４Ｋフォト動画から切り出すべきフレームの範囲を、切り出し開始位置と、フレーム数とで指定した。４Ｋフォト動画から切り出すべきフレーム群の指定方法はこれらの方法に限定されない。本実施の形態では、４Ｋフォト動画から切り出すべきフレームをサムネイル画像から指定するための構成を説明する。
【０１３２】
図２０は、ＰＣ５００に表示される、サムネイル画像を用いて切り出し範囲（区間）を指定するための入力画面を示した図である。入力画面６０９は、複数のサムネイル画像６３２が配置された、切り出し範囲指定ウィンドウ６３０を含む。各サムネイル画像６３２は、デジタルカメラ１００で撮影された４Ｋフォト動画を構成するフレーム画像のそれぞれに対するサムネイル画像である。ユーザは、この入力画面６０９上で、開始位置と終了位置のサムネイル画像を指定することで、フレームの切り出し範囲を指定する。図２０の例では、フレーム画像“Ｃ”からフレーム画像“Ｎ”までの範囲が切り出し範囲として指定されている。
【０１３３】
本実施の形態では、実施の形態２における図１４に示す入力画面６０６に代えて、図２１に示すメッセージ画面６０８を表示する。このメッセージ画面６０８は、ＰＣ５００がデジタルカメラ１００から切り出し画像情報を取得中であることをユーザに通知する画面である。切り出し画像情報の取得が完了すると、ＰＣ５００は、デジタルカメラ１００に対して切り出し開始要求を送信する（Ｓ１４５）。
【０１３４】
図２２、２３は、本実施の形態における、ＰＣ５００から切り出し開始要求が送信された後の、撮像システム１０の詳細な動作を説明するための図である。図２２、２３に示す処理は、実施の形態１における図１１に示す処理に対応する。
【０１３５】
ＰＣ５００からの切り出し開始要求には、切り出しタイプを示す情報が含まれる。本実施の形態では、切り出しタイプとして「サムネイル取得」が指定される。デジタルカメラ１００は、切り出し開始要求（Ｓ１４５）を受信すると、サムネイル取得処理であることを認識し、４Ｋフォト動画データからフレーム画像を切り出し、切り出し画像データを生成する（Ｓ１５３ｄ）。次に、デジタルカメラ１００は、各切り出し画像をリサイズしてサムネイル画像を生成する（Ｓ１５３ｅ）。生成された切り出し画像データ及びサムネイル画像データは、作業領域としてのＲＡＭ１５０に格納される。
【０１３６】
サムネイル画像データの生成が完了すると、デジタルカメラ１００は転送準備ＯＫ通知をＰＣ５００に送信する（Ｓ１５４）。これを受けて、ＰＣ５００は、静止画データ取得要求（第３の要求の一例）をデジタルカメラ１００に送信する（Ｓ１５５ａ）。デジタルカメラ１００は、静止画データ取得要求に応答して、全フレームのサムネイル画像データをＰＣ５００に送信する（Ｓ１５６ａ）。
【０１３７】
ＰＣ５００は、デジタルカメラ１００からサムネイル画像データを受信すると、それらをデータ格納部５１７に格納する（Ｓ１６４ａ）。
【０１３８】
以上の処理（Ｓ１４５、Ｓ１５３ｄ、Ｓ１５３ｅ、Ｓ１５４、Ｓ１５５ａ、Ｓ１５６ａ、Ｓ１６４ａ）はフレーム毎に実施される。すなわち、フレーム毎にサムネイル画像が生成され、ＰＣ５００に転送されて保存される。全フレームについてサムネイル画像の保存が終了すると、ＰＣ５００は、切り出し範囲を指定するための入力画面６０９（図２０）を表示部５１３に表示する（Ｓ１６４ｂ）。この入力画面６０９上にはサムネイル画像が配置される。
【０１３９】
入力画面６０９上で、ユーザにより、サムネイル画像を用いて切り出し範囲が指定され、画像転送ボタン６２８が押下されると、さらに、図１４に示すような確認画面６０６が表示される。このとき、確認画面６０６における、入力領域６０６ａと入力領域６０６ｂには、図２０に示す入力画面６０９上でユーザにより指定された情報に基づいて算出された値が設定される。この確認画面６０６を参照することにより、ユーザは、自身がサムネイル画像を用いて設定した切り出し範囲を確認することができる。
【０１４０】
その後、ユーザにより確認画面６０６上で切り出し開始ボタン６０６ｃが押下されると、ＰＣ５００は、デジタルカメラ１００に対して切り出し開始要求を送信する（Ｓ１４５ｂ）。この切り出し開始要求には、切り出しタイプと、指定された開始フレーム番号と、転送フレーム数とをそれぞれ示す情報が含まれる。本実施の形態では、切り出しタイプとして「部分切り出し」が指定される。以後、図２３に示す処理が実行される。
【０１４１】
すなわち、デジタルカメラ１００は、切り出し開始要求を受信すると、部分切り出し処理であることを認識し、まず、ポインタＮに、受信した開始フレーム番号を設定する（Ｓ１５１ｄ）。さらに、デジタルカメラ１００は、第Ｎ番目のフレームに対応する切り出し画像データをＲＡＭ１５０から読み出して取得し（Ｓ１５３ｂ）、ＰＣ５００へ転送する（Ｓ１５６）。以後、デジタルカメラ１００は、ポインタＮを順次移動しながら、ユーザにより指定されたフレーム数分だけ（Ｓ１６０ｂ、Ｓ１６１）、切り出し画像データを取得し、ＰＣ５００へ転送する（Ｓ１５３ｂ、Ｓ１５６）。
【０１４２】
なお、切り出し画像データの転送中は、ＰＣ５００の表示部５１３において図２４に示すような、切り出し画像データの転送中であることをユーザに通知する画面６３３が表示される。この画面６３３上で、キャンセルボタン６３５が押下された場合（Ｓ１６５でＹＥＳ）、画像データの転送は中止される（Ｓ１６８、Ｓ１５７、Ｓ１５８）。
【０１４３】
図２３に示す上記以外の処理は実施の形態１で説明したものと同じであるため、ここでの説明は省略する。
【０１４４】
以上の構成により、ユーザはサムネイル画像を参照しながら切り出し区間を指定できる。このため、画像の内容を確認しつつかつ容易に区間の指定ができ、ユーザの利便性を向上できる。
【０１４５】
（実施の形態５）
実施の形態１〜４では、４Ｋフォトモードによる画像撮影の完了後に引き続き４Ｋフォトが切り出され、ＰＣ５００に転送される構成を説明した。切り出し画像の転送は４Ｋフォトモードによる画像撮影に引き続いて実施される必要はない。画像撮影のタイミングとは独立したタイミングで、切り出し画像を転送してもよい。本実施の形態では、既に記録済みの４Ｋフォト動画から任意のタイミングで切り出し画像を生成し、ＰＣ５００へ転送するための構成を説明する。図２５は、本実施の形態の撮像システム１０の動作を説明したシーケンス図である。
【０１４６】
ＰＣ５００は、デジタルカメラ１００に対して４Ｋ動画ファイル情報取得要求を送信する（Ｓ２０１）。デジタルカメラ１００はこの要求に応答して、ＰＣ５００に４Ｋ動画ファイル情報を送信する（Ｓ２０２）。４Ｋ動画ファイル情報には、デジタルカメラ１００のメモリカード１６０に記録されている４Ｋ動画ファイルに関する情報が含まれる。具体的には、４Ｋ動画ファイル情報は、メモリカード１６０に記録されている４Ｋ動画ファイルに関して以下の情報を含む。
【０１４７】
−メモリカード１６０に記録されている４Ｋ動画ファイルの数
−４Ｋ動画ファイルを特定するためのハンドル情報
−各４Ｋ動画ファイルの先頭フレームのサムネイル画像
−各４Ｋ動画ファイルのフレーム数、マーカ数、マーカ情報
ＰＣ５００は、デジタルカメラ１００から４Ｋ動画ファイル情報を受信すると、ユーザが切り出し画像を生成したい４Ｋ動画ファイルを選択するための選択画面を表示部５１３に表示する（Ｓ２０３）。図２６にこの選択画面の一例を示す。図２６の選択画面６１１では、６個の４Ｋ動画ファイルがデジタルカメラ１００のメモリカード１６０に記録されていることを示す。さらに、図２６に示す選択画面６１１は、ユーザにより４Ｋ動画ファイル“ＣＣ”が選択され、４Ｋ動画ファイル“ＣＣ”のフレーム数は１４０であることを示している。
【０１４８】
図２６に示すような選択画面６１１上でユーザにより所望の４Ｋ動画ファイルが選択されると、ＰＣ５００は、切り出し開始要求をデジタルカメラ１００に送信する（Ｓ２０４）。この切り出し開始要求には、切り出しタイプ（サムネイル取得）と、開始フレーム番号（先頭フレームの番号）と、転送フレーム数（全フレーム数）と、ユーザにより選択された４Ｋ動画ファイルを特定するハンドル情報とが含まれる。
【０１４９】
デジタルカメラ１００は、切り出し開始要求（Ｓ２０４）を受信すると、サムネイル取得処理であることを認識し、４Ｋフォト動画データから全てのフレーム画像を切り出し、切り出し画像データを生成する（Ｓ２０５）。次に、デジタルカメラ１００は、各切り出し画像をリサイズしてサムネイル画像を生成する（Ｓ２０６）。生成された切り出し画像データ及びサムネイル画像データは作業領域としてのＲＡＭ１５０に格納される。
【０１５０】
サムネイル画像データの生成が完了すると、デジタルカメラ１００は転送準備ＯＫ通知をＰＣ５００に送信する（Ｓ２０７）。これを受けて、ＰＣ５００は静止画データ取得要求をデジタルカメラ１００に送信する（Ｓ２０８）。デジタルカメラ１００は、静止画データ取得要求に応答して、全フレームのサムネイル画像データをＰＣ５００に送信する（Ｓ２０９）。
【０１５１】
ＰＣ５００は、デジタルカメラ１００からサムネイル画像データを受信すると、それらをデータ格納部５１７に格納する（Ｓ２１０）。さらに、ＰＣ５００は、各サムネイル画像を含む切り出し範囲指定のための画面６０９（図２０参照）を表示部５１３に表示させる（Ｓ２１１）。
【０１５２】
画面６０９上で、ユーザにより、サムネイル画像を用いて切り出し区間が指定されると、ＰＣ５００は、デジタルカメラ１００に対して切り出し開始要求を送信する（Ｓ２１２）。この切り出し開始要求には、切り出しタイプ（部分切り出し）と、指定された開始フレーム番号と、転送フレーム数とをそれぞれ示す情報が含まれる。以後、図２３に示す処理と同様の処理が実行され、切り出し画像がＰＣ５００に転送される。
【０１５３】
以上のような方法により、デジタルカメラ１００に記録済みの４Ｋフォト動画から任意のタイミングで切り出し画像を生成し、ＰＣ５００に転送することができる。
【０１５４】
（他の実施の形態）
以上のように、本出願において開示する技術の例示として、実施の形態１〜５を説明した。しかしながら、本開示における技術は、これに限定されず、適宜、変更、置き換え、付加、省略などを行った実施の形態にも適用可能である。また、上記実施の形態１〜５で説明した撮像システム１０の各構成要素を組み合わせて、新たな実施の形態とすることも可能である。
【０１５５】
上記の実施の形態では、撮像装置と外部の電子機器間の通信プロトコルの例としてＰＴＰが用いられるが、他の通信プロトコルが用いられても良い。また、撮像装置と外部の電子機器間の通信規格としてＵＳＢの通信規格が採用されてもよい。
【０１５６】
上記の実施の形態では、デジタルカメラとして交換レンズ式のデジタルカメラを説明したが、デジタルカメラはレンズとボディが一体型のものでもよい。
【０１５７】
また、本開示の撮像装置としてデジタルカメラまたはカメラボディを説明したが、本開示の撮像装置は他の電子機器であってもよい。例えば、本開示の撮像装置は、ビデオカメラ、スマートフォン、またはタブレット端末のような、画像を撮影可能な装置であればよい。また、本開示の外部の電子機器としてＰＣを説明したが、外部の電子機器はこれに限定されない。例えば、本開示の電子機器は、スマートフォン、またはタブレット端末のような他の電子機器でもよい。
【０１５８】
以上のように、本開示における技術の例示として、実施の形態を説明した。そのために、添付図面および詳細な説明を提供した。
【０１５９】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面または詳細な説明に記載されていることをもって、直ちに、それらの必須ではない構成要素が必須であるとの認定をするべきではない。
【０１６０】
また、上述の実施の形態は、本開示における技術を例示するためのものであるから、特許請求の範囲またはその均等の範囲において種々の変更、置き換え、付加、省略などを行うことができる。
【産業上の利用可能性】
【０１６１】
本開示の思想は、静止画データを切り出すための動画データを生成可能な撮像装置及びそれを遠隔制御する電子機器に適用できる。
【符号の説明】
【０１６２】
１０    撮像システム
１００    デジタルカメラ（撮像装置）
１０２    カメラボディ
１２０    デジタル画像・音声処理部
１３０    コントローラ
１４３    ＣＣＤイメージセンサ
１６０    メモリカード
１６５    カードスロット
１８０    操作部
１９０    表示部
１９５    通信部
３０１    交換レンズ
４００    ＵＳＢケーブル
５００    パーソナルコンピュータ（ＰＣ）
５１１    コントローラ
５１３    表示部
５１７    データ格納部
５１８    通信部
６２２    動画ボタン
６２６    静止画ボタン
【図１】
2019041372.tif 000003
【図２】
2019041372.tif 000004
【図３】
2019041372.tif 000005
【図４】
2019041372.tif 000006
【図５】
2019041372.tif 000007
【図６】
2019041372.tif 000008
【図７】
2019041372.tif 000009
【図８】
2019041372.tif 000010
【図９】
2019041372.tif 000011
【図１０】
2019041372.tif 000012
【図１１】
2019041372.tif 000013
【図１２】
2019041372.tif 000014
【図１３】
2019041372.tif 000015
【図１４】
2019041372.tif 000016
【図１５】
2019041372.tif 000017
【図１６】
2019041372.tif 000018
【図１７】
2019041372.tif 000019
【図１８】
2019041372.tif 000020
【図１９】
2019041372.tif 000021
【図２０】
2019041372.tif 000022
【図２１】
2019041372.tif 000023
【図２２】
2019041372.tif 000024
【図２３】
2019041372.tif 000025
【図２４】
2019041372.tif 000026
【図２５】
2019041372.tif 000027
【図２６】
2019041372.tif 000028